(57)【特許請求の範囲】
【請求項１】
枚葉紙加工機へ枚葉紙を搬送するための吸込みローラにおいて、該吸込みローラの外周面が、枚葉紙加工機の給紙テーブルに設けられたスリットを通って突出しており、吸込みローラの周面に、該周面を越えて突出する複数のフロントマークが設けられており、更に、吸込みローラが専用の駆動モータを有しており、該駆動モータが可変の周速で作動可能であることを特徴とする吸込みローラ。
【請求項２】
吸込み空気を、吸込みローラの外周面の１５０°〜２１０°にわたって延在している部分に供給するための手段が設けられている、請求項１記載の吸込みローラ。
【請求項３】
吸込みローラが、軸方向で間隔のおかれた少なくとも２つの吸込みリングを有している、請求項１記載の吸込みローラ。
【請求項４】
吸込みローラが、軸方向で間隔のおかれた少なくとも２つの吸込みリングを有している、請求項２記載の吸込みローラ。
【請求項５】
枚葉紙加工機が、吸込みローラの枚葉紙搬送方向で見て後方に位置する搬送手段を有しており、駆動モータの前記可変の周速が、０から前記搬送手段の速度の１．５倍である、請求項１記載の吸込みローラ。
【発明の詳細な説明】
【０００１】
本発明は、請求項１の上位概念に記載の形式の吸込みローラに関する。
【０００２】
ドイツ連邦共和国特許第３３１１１９６号明細書に基づき公知の枚葉紙給紙装置では、位置調整胴がそのフロントマーク付近に枚葉紙の側縁部を位置調整するための各１つの吸込み条片を有している。後続ドラムに引き渡す際に始端部がグリッパによって保持されて、フロントマークが枚葉紙を制限する。
【０００３】
ドイツ連邦共和国特許第２３３０４８４号明細書には、個別吸込みリングを備えた吸込みローラが記載されている。
ヨーロッパ特許第０８４６６３８号明細書には、ストッパを備えた吸込みローラに薄板を組み込むための装置が記載されている。
【０００４】
本発明の課題は、吸込みローラを提供することである。
【０００５】
この課題は、本発明により請求項１の特徴部に記載の構成に基づき解決される。
【０００６】
本発明により得られる利点は特に、印刷される枚葉紙が単一のローラによって前縁を位置調整され且つ規定されて後加工ステーションに引き渡されるという点にある。この場合、各枚葉紙は後加工ステーションへの搬送中に吸込みローラによって僅かにしか湾曲されない。枚葉紙の始端部は、次の搬送手段へ引き渡す際に保持部材又はストッパから解放される。
【０００７】
更に、専用の電動モータによって吸込みローラの運動過程の大きなフレキシビリティーが可能である。
【０００８】
以下に、本発明の実施例を図面につき詳しく説明する。
【０００９】
吸込みローラ０１は、例えば半径方向で延びる複数の孔０３を有する中空シリンダ０２から成っている。この中空シリンダ０２はサイドフレームに固定された、外側に支承金属０４の設けられた支持管０６に回転可能に支承されている。前記孔０３は吸込みローラ０１の外周面若しくは周面線０７のほぼ半分以上、つまり１５０°〜２１０°、特に１８０°〜２１０°にわたって延在している。
【００１０】
支持管０６及び支承金属０４の上側、つまり枚葉紙に近い方の側には複数の空気供給スリット０８が設けられているので、サイドフレームに固定的に支承された支持管０６の第１の端部を介して供給される吸込み空気が中空シリンダ０２の各孔０３へ到達可能である。吸込みに関しては、約２０〜３０枚葉紙度（Bogengrad)の、吸込みローラ０１の外周面07の有効部分が生ぜしめられる。
【００１１】
支持管０６の第２の端部にはピン０９が設けられており、このピン０９にはロール支承された連行スリーブ１５が回転可能に配置されており、この連行スリーブ１５は半径方向に向いている面取りされた連行アーム１０によって、回転可能な中空シリンダ０２と相対回動不能に結合されている。連行スリーブ１５は転がり軸受け１８；１９を介してピン０９に支承されているか、若しくはサイドフレーム１７において転がり軸受け１８；１９に支承されている。サイドフレーム１７のローラとは反対の側には、連行スリーブ１５と相対回動不能に結合された、周方向で一様でない速度を生ぜしめるための例えばステップモータ又は角度位置制御式の電動モータ（即ち個別駆動装置）等の駆動モータ１２がフランジ締結されている。
【００１２】
中空シリンダ０２は吸込みローラ０１の時計回り回転方向Ａで見て穿孔された孔０３の始端部に、吸込みローラ０１の軸方向で相並んで配置された、例えば３〜５ミリメータの分ｂだけ周面線０７から突出したフロントマーク１３を支持している。
【００１３】
有利な構成では、中空シリンダ０２は孔０３の設けられた吸込みリング１４；１６を有している。これらの吸込みリング１４；１６は中空シリンダ０２上に軸方向で間隔をあけて相並んで位置している。吸込みリング１４；１６は、それぞれ中空シリンダ０２に設けられた環状の溝２０によって隔てられている。更に別の吸込みリング（図示せず）が配置されていてもよい。各吸込みリング１４；１６は、やはり周面線０７の半分以上にわたって延びる孔０３を有しており、これらの孔０３もやはり中空シリンダ０２を貫通している。
【００１４】
吸込みローラ０１は、例えば枚葉紙の搬送方向で見て給紙テーブルの端部に、外周面又は周面線０７が僅かにテーブル面の上位に位置するように配置されている。
【００１５】
吸込みローラ０１が図示のように吸込みリング１４；１６を有している場合は、各吸込みリング１４；１６毎に別個のスリットが給紙テーブルに設けられている。
【００１６】
搬送方向で見て給紙テーブルの後ろには、例えばグリッパシステムによって枚葉紙を引き渡すことのできる、例えば搬送ローラ又は圧胴等の後加工ステーションが配置されている。
【００１７】
次に、吸込みローラ０１の機能形式を説明する。
【００１８】
給紙テーブルにおいて搬送方向で、公知の手段によって既に側縁部を位置調整された枚葉紙が静止している吸込みローラ０１のフロントマーク１３まで搬送される（周速＝０）。様々な回転数で回転可能な駆動装置により、モータ１２、連行スリーブ１５及び連行アーム１０を介して中空シリンダ０２は周速０から例えば０．７ｍ／ｓへ加速されるので、枚葉紙は直線的な加速区間及び後続の等速区間において例えば０．６ｍ／ｓの圧胴の周速に達し、グリッパシステムによって規定されたグリッパ閉鎖ポイントにおいて圧胴上に保持される。枚葉紙１７を搬送する際には、その都度回転する吸込みリング１４；１６の少なくとも１つ又は複数の孔０３が支持管０６の空気供給スリット０８に接続するので、搬送方向で枚葉紙を運動させることができる。即ち、周速は吸込みローラ０１の回転時に０から圧胴の周速の１．３〜２．５倍の間で変動する。
【００１９】
枚葉紙の搬送速度は、例えば胴等の後続の搬送手段の周速よりも僅かに（例えば１０％）大きくてよい。前記の後続の搬送手段もやはりフロントマークを有していてよいので、再度位置調整が行われる。
【図面の簡単な説明】
【図１】  駆動装置を備えた吸込みローラの右側端部の平面図である。
【図２】  図１のＩＩ−ＩＩ線に沿った断面図である。
【符号の説明】
０１  吸込みローラ、  ０２  中空シリンダ、  ０３  孔、  ０４  支承金属、  ０６  支持管、  ０７  周面線若しくは外周面、  ０８  空気供給スリット、  ０９  ピン、  １０  連行アーム、  １２  駆動モータ、  １３  フロントマーク、  １４，１６  吸込みリング、  １５  連行スリーブ、  １７  サイドフレーム、  １８，１９  転がり軸受け、  ２０  溝
【図１】
0003677239.tif 000002
【図２】
0003677239.tif 000003